(57)【要約】【課題】浸水を効果的に抑制することが可能なウォーターフェンスシステムを提供する。【解決手段】このウォーターフェンスシステム１００は、堰を形成するウォーターフェンス本体部１と、ウォーターフェンス本体部１に一端３ａが装着される吸水ホース３と、吸水ホース３の他端３ｂが接続され、ウォーターフェンス本体部１の底面１ａと設置面との間の水を吸い取るポンプ本体部４と、ポンプ本体部４に電気的に接続された第１水検知部７と、第１水検知部７の検知結果に基づいて、ポンプ本体部４の駆動を制御する制御基板８と、ウォーターフェンス本体部１およびポンプ本体部４から離間した位置に第１水検知部７を設置可能であり、第１水検知部７が固定される第１水検知部設置部材６とを備える。【選択図】図１
2018009323.tif 000002
【特許請求の範囲】
【請求項１】
堰を形成するウォーターフェンス本体部と、
前記ウォーターフェンス本体部に一端が装着される吸水ホースと、
前記吸水ホースの他端が接続され、前記ウォーターフェンス本体部の底面と設置面との間の水を吸い取る吸水装置本体部と、
前記吸水装置本体部に電気的に接続された水検知部と、
前記水検知部の検知結果に基づいて、前記吸水装置本体部の駆動を制御する制御部と、
前記ウォーターフェンス本体部および前記吸水装置本体部から離間した位置に前記水検知部を設置可能であり、前記水検知部が固定される水検知部設置部材とを備える、ウォーターフェンスシステム。
【請求項２】
前記水検知部は、第１電極部を含み、
前記水検知部設置部材は、水よりも比重が大きい導電性材料により形成され、前記水検知部の前記第１電極部と対をなす第２電極部として機能し、
前記制御部は、前記第１電極部と、前記第２電極部として機能する水検知部設置部材とが水により通電することに基づいて、前記吸水装置本体部を駆動するように構成されている、請求項１に記載のウォーターフェンスシステム。
【請求項３】
前記ウォーターフェンス本体部の底面に配置され、前記ウォーターフェンス本体部の設置面への設置性を向上させる設置力増強部材をさらに備え、
前記水検知部設置部材の底面には、前記第１電極部の下端の高さ位置を、前記吸水装置本体部の非駆動時における前記設置力増強部材の上端近傍の高さ位置に合うように調整する高さ調整部材が脱着可能に設けられている、請求項２に記載のウォーターフェンスシステム。
【請求項４】
前記高さ調整部材は、前記第１電極部の下端の高さ位置の調整に加えて、前記水検知部設置部材の前記設置面に対する角度を調整可能に構成されている、請求項３に記載のウォーターフェンスシステム。
【請求項５】
前記水検知部設置部材は、吸水用の貫通孔と、前記吸水ホースの前記一端を前記貫通孔に対して連通状態で装着可能な吸水ホース取付部とを含む、請求項１〜４のいずれか１項に記載のウォーターフェンスシステム。
【請求項６】
前記制御部は、前記吸水装置本体部に内蔵されている、請求項１〜５のいずれか１項に記載のウォーターフェンスシステム。
【請求項７】
前記吸水装置本体部と前記水検知部とを互いに電気的に接続する延長ケーブルをさらに備える、請求項１〜６のいずれか１項に記載のウォーターフェンスシステム。
【発明の詳細な説明】
【技術分野】
【０００１】
この発明は、ウォーターフェンスシステムに関する。
【背景技術】
【０００２】
従来、浸水を抑制するための水嚢（ウォーターフェンスシステム）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢が開示されている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、注水した袋体からなる水嚢を地面に設置して浸水を防ぐという構造であるため、水をある程度止めることができるものの、浸水しようとする水を排出することはできないという不都合がある。このため、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスシステムを提供することである。
【課題を解決するための手段】
【０００７】
この発明の一の局面によるウォーターフェンスシステムは、堰を形成するウォーターフェンス本体部と、ウォーターフェンス本体部に一端が装着される吸水ホースと、吸水ホースの他端が接続され、ウォーターフェンス本体部の底面と設置面との間の水を吸い取る吸水装置本体部と、吸水装置本体部に電気的に接続された水検知部と、水検知部の検知結果に基づいて、吸水装置本体部の駆動を制御する制御部と、ウォーターフェンス本体部および吸水装置本体部から離間した位置に水検知部を設置可能であり、水検知部が固定される水検知部設置部材とを備える。
【０００８】
この発明の一の局面によるウォーターフェンスシステムでは、上記のように、水検知部の検知結果に基づいて、吸水装置本体部の駆動を制御する制御部を設ける。これにより、ウォーターフェンス本体部に水が押し寄せてきた場合に、ウォーターフェンス本体部により押し寄せる水を止めるとともに、水検知部の検知結果に基づいて制御部により自動的に吸水装置本体部を駆動させることができるので、浸水しようとする水を排出することができる。その結果、浸水を効果的に抑制することができる。また、水検知部が固定され、固定された水検知部を、ウォーターフェンス本体部および吸水装置本体部から離間した位置に設置可能な水検知部設置部材を設ける。これにより、水検知部設置部材を用いて、水検知部を任意の位置に配置することができるので、水検知部の配置の自由度を向上させることができる。また、水がない場合に吸水装置本体部を自動的に停止させることができるので、吸水装置本体部の空運転を防止することができる。
【０００９】
上記一の局面によるウォーターフェンスシステムにおいて、好ましくは、水検知部は、第１電極部を含み、水検知部設置部材は、水よりも比重が大きい導電性材料により形成され、水検知部の第１電極部と対をなす第２電極部として機能し、制御部は、第１電極部と、第２電極部として機能する水検知部設置部材とが水により通電することに基づいて、吸水装置本体部を駆動するように構成されている。このように構成すれば、水検知部設置部材が水よりも比重が大きい導電性材料により形成されるので、水が押し寄せてきても、流されにくく、所望の設置位置に水検知部を配置し続けることができる。また、水検知部設置部材が第１電極部と対をなす第２電極部として機能するので、水検知部が２つの電極部を有するように構成する場合と比較して、水検知部の構成を簡素化することができる。
【００１０】
この場合、好ましくは、ウォーターフェンス本体部の底面に配置され、ウォーターフェンス本体部の設置面への設置性を向上させる設置力増強部材をさらに備え、水検知部設置部材の底面には、第１電極部の下端の高さ位置を、吸水装置本体部の非駆動時における設置力増強部材の上端近傍の高さ位置に合うように調整する高さ調整部材が脱着可能に設けられている。このように構成すれば、吸水装置本体部が空運転することがない所定の水位により、吸水装置本体部を駆動させることができる。また、設置力増強部材により、凹凸のある設置面に対しての設置性や水密性を向上させることができるので、安定してウォーターフェンス本体部を設置することができる。その結果、ウォーターフェンス本体部の下方からの浸水を効果的に抑制することができる。また、吸水装置本体部によりウォーターフェンス本体部の底面の水を空気とともに吸い取ることによって、ウォーターフェンス本体部の底面と設置面との間に負圧を発生させることができる。これにより、設置力増強部材を地面へ吸着させて、ウォーターフェンス本体部を地面に対して安定して設置することができる。
【００１１】
上記ウォーターフェンス本体部に高さ調整部材が設けられている構成において、好ましくは、高さ調整部材は、第１電極部の下端の高さ位置の調整に加えて、水検知部設置部材の設置面に対する角度を調整可能に構成されている。このように構成すれば、水検知部設置部材の設置面に対する角度を調整することができるので、水検知部設置部材が傾斜面に配置される場合でも、第１電極部が傾斜して配置されるのを抑制することができる。その結果、吸水装置本体部を駆動させる所望の水位とは異なる水位によって、吸水装置本体部が駆動されるのを抑制することができる。
【００１２】
上記一の局面によるウォーターフェンスシステムにおいて、好ましくは、水検知部設置部材は、吸水用の貫通孔と、吸水ホースの上記一端を貫通孔に対して連通状態で装着可能な吸水ホース取付部とを含む。このように構成すれば、吸水ホースの一端を、ウォーターフェンス本体部から取り外して、吸水ホース取付部に取り付けることにより、吸水装置本体部をいわゆる残水ポンプとして用いることができる。
【００１３】
上記一の局面によるウォーターフェンスシステムにおいて、好ましくは、制御部は、吸水装置本体部に内蔵されている。このように構成すれば、制御部を吸水装置本体部と別体で設ける場合に比べて、ウォーターフェンスシステムの構成を簡素化することができる。
【００１４】
上記一の局面によるウォーターフェンスシステムにおいて、好ましくは、吸水装置本体部と水検知部とを互いに電気的に接続する延長ケーブルをさらに備える。このように構成すれば、延長ケーブルにより水検知部および水検知部設置部材を、吸水装置本体部周りのより広い範囲に配置することができるので、水検知部の配置の自由度をより向上させることができる。
【発明の効果】
【００１５】
本発明によれば、上記のように、浸水を効果的に抑制することができる。
【図面の簡単な説明】
【００１６】
【図１】本発明の第１実施形態によるウォーターフェンスシステムを上方から見た斜視図である。
【図２】本発明の第１実施形態によるウォーターフェンス本体部および設置力増強部材を下方から見た斜視図である。
【図３】本発明の第１実施形態によるウォーターフェンス本体部を下方から見た斜視図である。
【図４】本発明の第１実施形態によるウォーターフェンス本体部および設置力増強部材の分解斜視図である。
【図５】本発明の第１実施形態によるウォーターフェンス本体部の第１本体部を示した斜視図である。
【図６】本発明の第１実施形態によるウォーターフェンス本体部および設置力増強部材を底面側から見た図である。
【図７】本発明の第１実施形態によるウォーターフェンスシステムのポンプ本体部および第１水検知部設置部材を示した側面図である。
【図８】本発明の第１実施形態によるポンプ本体部を残水ポンプとして使用する場合の状態を示した図である。
【図９】本発明の第１実施形態によるウォーターフェンスシステムの設置力増強部材の特性を示した表である。
【図１０】本発明の第１実施形態によるウォーターフェンスシステムの設置力増強部材の水透過の特性を示した表である。
【図１１】本発明の第１実施形態によるウォーターフェンスシステムのチューブ材の特性を示した表である。
【図１２】本発明の第２実施形態によるウォーターフェンスシステムを上方から見た斜視図である。
【図１３】本発明の第２実施形態によるウォーターフェンスシステムのポンプ本体部および第１水検知部設置部材を示した側面図である。
【図１４】本発明の第２実施形態によるウォーターフェンスシステムの傾斜面に設置された第１水検知部設置部材について説明するための図である。
【図１５】本発明の第１実施形態の第１変形例によるウォーターフェンスシステムのポンプ本体部および第１水検知部設置部材を示した側面図である。
【図１６】本発明の第１実施形態の第２変形例によるウォーターフェンスシステムのポンプ本体部および第１水検知部設置部材を示した側面図である。
【発明を実施するための形態】
【００１７】
以下、本発明の実施形態を図面に基づいて説明する。
【００１８】
［第１実施形態］
図１〜図１１を参照して、本発明の第１実施形態によるウォーターフェンスシステム１００について説明する。
【００１９】
（ウォーターフェンスシステムの構成）
図１〜図８を参照して、本発明の第１実施形態のウォーターフェンスシステム１００の構成について説明する。第１実施形態によるウォーターフェンスシステム１００は、建物への浸水を防いだり、工事現場などにおいて水を長時間せき止めたり、流れを有する河川などをせき止めたりするために用いられる。
【００２０】
ウォーターフェンスシステム１００は、図１に示すように、ウォーターフェンス本体部１と、設置力増強部材２と、吸水ホース３と、ポンプ本体部４と、延長ケーブル５と、第１水検知部設置部材６と、第１水検知部７と、制御基板８とを備えている。なお、ポンプ本体部４は、特許請求の範囲の「吸水装置本体部」の一例である。また、第１水検知部設置部材６は、特許請求の範囲の「水検知部設置部材」の一例である。また、第１水検知部７は、特許請求の範囲の「水検知部」の一例である。また、制御基板８は、特許請求の範囲の「制御部」の一例である。
【００２１】
ウォーターフェンス本体部１は、Ｘ方向に延びる細長形状を有しており、柱Ｈの前面側で水を止めるように設置される。設置力増強部材２は、ウォーターフェンス本体部１の底面１ａに配置されている。吸水ホース３は、一端３ａがウォーターフェンス本体部１に装着され、他端３ｂがポンプ本体部４に接続されている。ポンプ本体部４は、自吸機能を有し、ウォーターフェンス本体部１の底面１ａと設置面との間の水を空気とともに吸い取るように構成されている。ポンプ本体部４は、ポンプ筐体４１と、ポンプ筐体４１に固定的に取り付けられる第２水検知部４２とを含んでいる。延長ケーブル５は、一端が第２水検知部４２（ポンプ本体部４）に接続され、他端が第１水検知部７に接続されており、第２水検知部４２（ポンプ本体部４）と第１水検知部７とを互いに電気的に接続している。詳細については後述する。
【００２２】
ウォーターフェンス本体部１は、図２〜図４に示すように、第１本体部１１と、第２本体部１２と、連結部材１３とを含んでいる。
【００２３】
第１本体部１１は、図３、図４または図５に示すように、パイプ１１ａ（図４参照）と、底面１ａと設置面との間の水をポンプ本体部４により吸い取るための吸水口１１ｂが設けられたパイプ１１ｃ（図３参照）と、凸部１１１（図３参照）と、嵌合部１１２（図５参照）と、筒状部１１３（図５参照）と、板状部１１４（図５参照）と、フランジ部１１５（図５参照）と、肉抜穴１１６（図５参照）とを有している。第２本体部１２は、図３または図４に示すように、重り収容部１２１と、凸部１２２（図３参照）と、嵌合部１２３（図４参照）と、凹部１２４および１２５とを有している。
【００２４】
ウォーターフェンス本体部１は、図１に示すように、背面１ｂ側（Ｙ１方向側）への浸水を防止するための堰を形成している。具体的には、ウォーターフェンス本体部１は、柱Ｈ（あるいは壁または扉など）の前面側（Ｙ２方向側）に配置され、背面１ｂ側（Ｙ１方向側）への浸水を防止する堰を形成している。
【００２５】
また、第２本体部１２は、Ｘ方向において第１本体部１１を挟むように一対設けられ、第１本体部１１に接続するように構成されている。一対の第２本体部１２は、第１本体部１１を挟み込んだ状態で、弾性を有する連結部材１３により挟持されることにより、連結されている。
【００２６】
第１本体部１１は、水を透過させない素材により形成されている。第１本体部１１は、たとえば、ゴムや樹脂或いは金属などにより形成されている。好ましくは、第１本体部１１は、弾性材料により形成されている。また、第１本体部１１は、第２本体部１２よりも比重が大きい材料により形成されている。
【００２７】
図３に示すように、第１本体部１１の下面側（Ｚ２方向側）には、凸部１１１が設けられている。凸部１１１の外側の平坦面１１０には、設置力増強部材２が取り付けられるように構成されている。また、凸部１１１は、図６に示すように、吸水口１１ｂが設けられたパイプ１１ｃをＹ方向に挟み込むように、一対設けられている。また、凸部１１１は、第１本体部１１に連結される第２本体部１２の凸部１２２とつながるように形成されており、長方形のロ字形状の凸部が形成される。この凸部１１１および１２２により設置力増強部材２が略水平方向（ＸＹ方向）にずれることが抑制される。また、凸部１１１は、Ｙ方向において、設置力増強部材２と吸水口１１ｂとの間に配置されている。また、凸部１１１は、底面１ａから下方に突出している。
【００２８】
図４および図５に示すように、第１本体部１１の底部（Ｚ２方向側部）には、第２本体部１２側（Ｘ方向）に凸状に突出する嵌合部１１２が設けられている。嵌合部１１２は、第２本体部１２の嵌合部１２３に嵌合するように構成されている。嵌合部１１２は、図３に示すように、第２本体部１２に覆いかぶさるように、嵌合部１２３に嵌合する。
【００２９】
図５に示すように、筒状部１１３は、上下方向（Ｚ方向）に延びるように形成され、第１本体部１１のＹ方向の中央近傍で、かつ、Ｘ方向の中央近傍に１つ配置されている。また、筒状部１１３は、第２本体部１２の凹部１２４に嵌り込むように構成されている。筒状部１１３の内側には、ポンプ本体部４により底面１ａと設置面との間の水を吸い取るための流路１１３ａが設けられている。
【００３０】
筒状部１１３の上部には、図４に示すように、ポンプ本体部４が接続されるための略Ｌ字形状のパイプ１１ａが挿入されている。パイプ１１ａは、たとえば、金属により形成されている。パイプ１１ａには、設置面とウォーターフェンス本体部１の底面１ａ（図３参照）との間の水を吸い取るポンプ本体部４が吸水ホース３を介して取り付けられるように構成されている。
【００３１】
筒状部１１３の底部には、図３に示すように、吸水口１１ｂが設けられたパイプ１１ｃが挿入されている。パイプ１１ｃは、たとえば、金属により形成されている。パイプ１１ｃの下側（Ｚ２方向側）の端部は、凸部１１１の下端近傍（Ｚ２方向側の端部近傍）に配置されている。これにより、ウォーターフェンス本体部１の底面１ａと設置面との間の水が、ポンプ本体部４により吸水される。なお、パイプ１１ｃの吸水口１１ｂに、異物除去用のフィルターを設けてもよい。
【００３２】
図５に示すように、板状部１１４は、筒状部１１３に対してＹ方向に接続され、Ｙ方向に延びるように形成されている。具体的には、板状部１１４は、筒状部１１３のＹ方向の両側（Ｙ１方向およびＹ２方向）に配置されている。また、板状部１１４は、筒状部１１３の外径よりも小さいＸ方向の幅を有している。
【００３３】
フランジ部１１５は、筒状部１１３の上部に配置されている。また、フランジ部１１５は、略水平方向（ＸＹ方向）に突出するように形成されている。また、フランジ部１１５は、第２本体部１２の凹部１２５（図４参照）に嵌り込むように構成されている。
【００３４】
肉抜穴１１６は、嵌合部１１２に設けられている。また、肉抜穴１１６は、Ｘ方向に延びるように形成されている。これにより、第１本体部１１を軽量化することが可能である。
【００３５】
図１に示すように、第２本体部１２は、直方体の箱型形状を有している。また、第２本体部１２は、Ｘ方向に延びるように形成されている。また、第２本体部１２は、水を透過させない素材により形成されている。第２本体部１２は、たとえば、発泡スチロールやゴムや樹脂或いは金属などにより形成されている。好ましくは、第２本体部１２は、発泡材料により形成されている。第２本体部１２の重り収容部１２１は、上方が開放された凹状に形成されている。重り収容部１２１の内側には、重りとして水を注水したり、ペットボトルなどが収容されるように構成されている。
【００３６】
図３に示すように、第２本体部１２の下面側（Ｚ２方向側）には、凸部１２２が設けられている。凸部１２２の外側の平坦面１２０には、設置力増強部材２が取り付けられるように構成されている。また、凸部１２２は、図６に示すように、平面視において（Ｚ方向から見て）、略Ｕ字形状に形成されている。また、凸部１２２は、第２本体部１２に連結される第１本体部１１の凸部１１１とつながるように形成されている。また、凸部１２２は、Ｙ方向において、設置力増強部材２と吸水口１１ｂとの間に配置されている。また、凸部１２２は、図７に示すように、底面１ａから下方に突出している。
【００３７】
図４に示すように、嵌合部１２３は、第２本体部１２の底部（Ｚ２方向側部）に設けられ、凹状に形成されており、凸状の嵌合部１１２が嵌合するように構成されている。凹部１２４は、第１本体部１１および第２本体部１２を組み合わせた場合に、第１本体部１１の筒状部１１３が第２本体部１２の凹部１２４に嵌り込む（係合する）ように構成されている。凹部１２５は、第１本体部１１および第２本体部１２を組み合わせた場合に、第１本体部１１のフランジ部１１５が第２本体部１２の凹部１２５に嵌り込む（係合する）ように構成されている。
【００３８】
図２に示すように、設置力増強部材２は、ウォーターフェンス本体部１の底部（底面１ａ）に、パイプ１１ｃの吸水口１１ｂを取り囲むように矩形の周状（枠状）に設けられている。また、設置力増強部材２は、ウォーターフェンス本体部１の設置面への設置性を向上させるように構成されている。つまり、ウォーターフェンス本体部１の設置時の自重と、ポンプ本体部４が吸水することとによって、設置力増強部材２は、弾性圧縮変形するとともに、外部の水を所定量透過させることにより、ウォーターフェンス本体部１の設置面内の圧力を低圧安定させるように構成されている。また、設置力増強部材２は、ウォーターフェンス本体部１のＸ方向の両側の外表面、および、Ｙ方向の両側の外表面に沿って配置されている。
【００３９】
具体的には、設置力増強部材２は、ウォーターフェンス本体部１の自重と、ペットボトルなどの重りの重力と、ポンプ本体部４が吸水することにより生じる負圧とにより、圧縮されるように構成されている。設置力増強部材２は、圧縮によって水の透過率が所定の値となることにより、ウォーターフェンス本体部１の底面１ａと設置面との間に外部からの水を所定量透過させてポンプ本体部４の自吸水を確保するように構成されている。
【００４０】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。重り収容部１２１に水などの重りが収容されてポンプ本体部４が駆動された場合、半連続気泡構造のスポンジは、５０〜８０％程度圧縮されることが望ましい。また、設置力増強部材２は、第１本体部１１よりも柔らかい材料により形成されている。
【００４１】
設置力増強部材２は、第１本体部１１の凸部１１１の外側の平坦面１１０（図３参照）および第２本体部１２の凸部１２２の外側の平坦面１２０（図３参照）に取り付けられるように構成されている。具体的には、設置力増強部材２は、両面テープなどの接着層を介して、第１本体部１１および第２本体部１２の底面１ａに取り付けられる。また、設置力増強部材２は、図２に示すように、平面視（Ｚ方向から見て）において、Ｙ方向の端部が、第２本体部１２の細い部分と略面一となるように配置されている。また、図２および図６に示すように、設置力増強部材２は、平面視において（Ｚ方向から見て）、ウォーターフェンス本体部１の底面１ａの外周部に環状に配置されている。
【００４２】
設置力増強部材２は、図４に示すように、分割可能に構成されている。具体的には、設置力増強部材２は、第１本体部１１に取り付けられる設置力増強部材２１と、第２本体部１２に取り付けられる設置力増強部材２２とに分割可能である。つまり、設置力増強部材２１を第１本体部１１に取り付け、設置力増強部材２２を第２本体部１２に取り付けた状態で、第１本体部１１および第２本体部１２を、分割すること、または、組み立てることが可能である。
【００４３】
設置力増強部材２１の端部は、組み立てる前において、第１本体部１１の端部（側面）からＸ方向に突出して構成されていることが望ましい。たとえば、Ｘ１方向側の設置力増強部材２１の端部が、Ｘ１方向側の第１本体部１１の端部よりも５〜１０ｍｍ程度突出し、さらに、Ｘ２方向側の設置力増強部材２１の端部が、Ｘ２方向側の第１本体部１１の端部よりも５〜１０ｍｍ程度突出して構成されることが望ましい。なお、設置力増強部材２１のＸ方向における端部は、第１本体部１１の端部と面一に揃え、設置力増強部材２２の端部が、第２本体部１２の端部からＸ方向（設置力増強部材２１側）に５〜１０ｍｍ程度突出して構成してもよい。また、設置力増強部材２１のＸ方向側の端部を、第１本体部１１の端部からＸ方向（設置力増強部材２２側）に３〜５ｍｍ程度突出させ、さらに、設置力増強部材２２のＸ方向側の端部を、第２本体部１２の端部からＸ方向（設置力増強部材２１側）に３〜５ｍｍ程度突出させて構成してもよい。また、突出量は、ウォーターフェンス本体部１のＸ方向の長さ、設置力増強部材２の硬さなどに応じて適宜設定してもよい。
【００４４】
これにより、第１本体部１１と第２本体部１２を組立ててウォーターフェンス本体部１を形成した場合に、第１本体部１１に設けられた設置力増強部材２１と第２本体部１２に設けられた設置力増強部材２２同士が圧縮されて端部が合わされる。したがって、設置力増強部材２１と設置力増強部材２２の端部間に隙間が生じるのを抑制して、密着させた状態でウォーターフェンス本体部１を組み立てることができるので、ウォーターフェンス本体部１と設置面との間の気密性を高めることができる。その結果、ポンプ本体部４の吸引により、ウォーターフェンス本体部１と設置面との間の設置力増強部材２に囲まれる空間（図６に示す２点鎖線の領域Ａ）の真空度を効果的に上げる（空間の気圧を下げる）ことが可能である。なお、設置力増強部材２１、設置力増強部材２２のいずれか一方、あるいは両方が、第１本体部１１および第２本体部１２の端部より、Ｘ方向にわずかに突出させて構成されていればよいので、上記の形態に限定されるものではない。また、設置力増強部材２の底面には、チューブ材２３が配置されている。
【００４５】
図２に示すように、チューブ材２３は、設置力増強部材２の底面に配置されている。また、チューブ材２３は、設置力増強部材２よりも低い吸水率を有するとともに、設置力増強部材２よりも柔らかい。具体的には、チューブ材２３は、中空形状を有する管状部材である。また、チューブ材２３は、外力により変形しやすい材料により形成されている。たとえば、チューブ材２３は、ゴムにより形成されている。また、チューブ材２３は、設置力増強部材２に、接着層を介して貼りつけられている。
【００４６】
チューブ材２３は、圧縮されて変形することにより、設置面の目地などの凹凸に食い込むとともに、設置力増強部材２を設置面に密着させるように構成されている。また、チューブ材２３は、設置力増強部材２よりも小さい幅を有する。また、図２および図６に示すように、チューブ材２３は、設置力増強部材２に沿って配置されている。具体的には、チューブ材２３は、平面視において（Ｚ方向から見て）略ロ字形状に配置された設置力増強部材２に沿って、略ロ字形状に配置されている。また、チューブ材２３は、設置力増強部材２の略中央に配置されている。
【００４７】
チューブ材２３は、図４に示すように、分割可能に構成されている。具体的には、チューブ材２３は、第１本体部１１（設置力増強部材２１）に取り付けられるＩ字状のチューブ材２３ａと、第２本体部１２（設置力増強部材２２）に取り付けられるＣ字状のチューブ材２３ｂとに分割可能である。
【００４８】
チューブ材２３ａの端部と、チューブ材２３ｂの端部とは、平面視において（Ｚ方向から見て）、互いにＹ方向にずれた状態で配置されている。つまり、チューブ材２３ａの端部と、チューブ材２３ｂの端部とは、略水平方向（ＸＹ方向）に互いに重なることがないように配置されている。
【００４９】
図７に示すポンプ本体部４は、上記の通り、自吸機能を有しており、水深が浅い水を吸水可能に構成されている。これにより、ポンプ本体部４は、設置面とウォーターフェンス本体部１の底面１ａとの間に浸水した少量の水を効果的に排水することが可能である。また、ポンプ本体部４は、急な増水に対しても信頼性の高い水没使用が可能な防水構造を有していることが望ましい。
【００５０】
また、ポンプ本体部４により、設置力増強部材２を透過した水を、設置面内側の空間の空気と共に吸引することにより、ウォーターフェンス本体部１と設置面との間の空間の真空度が上げられる（空間の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００５１】
ポンプ本体部４は、上記の通り、ポンプ筐体４１と、第２水検知部４２とを含んでいる。また、第２水検知部４２は、直方体形状の箱体４３と、箱体４３の下端部から下方に突出するように設けられ、水平方向に並ぶ一対の電極棒４４ａおよび４４ｂとを有している。箱体４３は、ゴムなどの絶縁材料により形成されている。また、箱体４３（ポンプ本体部４）には、制御基板８が内蔵されている。一対の電極棒４４ａおよび４４ｂは、それぞれ、制御基板８に電気的に接続されている。また、一対の電極棒４４ａおよび４４ｂは、互いに絶縁されている。
【００５２】
吸水ホース３は、図１および図７に示すように、上記の通り、一端３ａがウォーターフェンス本体部１に装着され、他端３ｂがポンプ本体部４に接続されている。また、吸水ホース３は、図８に示すように、ウォーターフェンス本体部１から一端３ａを取り外して、一端３ａを第１水検知部設置部材６に装着することが可能である。これにより、ポンプ本体部４をいわゆる残水ポンプとしても使用することが可能となる。詳細については後述する。
【００５３】
延長ケーブル５は、図７に示すように、上記の通り、一端が第２水検知部４２（ポンプ本体部４）に接続され、他端が第１水検知部７に接続されており、第２水検知部４２（ポンプ本体部４）と第１水検知部７とを互いに電気的に接続している。
【００５４】
詳細には、延長ケーブル５は、互いに絶縁された一対の導体線５１ａおよび５１ｂと、導体線５１ａおよび５１ｂを覆う被覆部５２とを有している。導体線５１ａは、一端が第２水検知部４２の電極棒４４ａに接続され、他端が第１水検知部７の後述する第１電極部７１に接続されている。導体線５１ｂは、一端が第２水検知部４２の電極棒４４ｂに接続され、他端が第１水検知部設置部材６に接続されている。被覆部５２は、導体線５１ａと導体線５１ｂとを互いに絶縁した状態で１本のケーブル状に束ねている。
【００５５】
延長ケーブル５は、第２水検知部４２側の一端に、第２水検知部４２の下端に接続されるコネクタ部５３を有している。また、コネクタ部５３は、コネクタ部５３が第２水検知部４２に接続された状態で電極棒４４ａおよび４４ｂが露出する溝部５３ａを有している。これにより、第２水検知部４２は、延長ケーブル５（コネクタ部５３）が接続された状態であっても、電極棒４４ａおよび４４ｂにより水を検知することが可能なように構成されている。また、溝部５３ａからボルト（不図示）を締結することでコネクタ部５３を第２水検知部４２に接続するよう構成されている。なお、溝部５３ａをコネクタ部５３に設けずに構成してもよい。
【００５６】
第１水検知部設置部材６は、円柱形状を有している。また、第１水検知部設置部材６は、第１水検知部７が固定されるように構成されている。詳細には、第１水検知部設置部材６は、上面上に図示しないボルトによって、第１水検知部７が固定されるように構成されている。なお、延長ケーブル５を介して第１水検知部７がポンプ本体部４に接続されていることから、第１水検知部設置部材６は、ウォーターフェンス本体部１およびポンプ本体部４から離間した位置に第１水検知部７を設置することが可能である。また、第１水検知部設置部材６は、ユーザにより移動されることによって、ウォーターフェンス本体部１およびポンプ本体部４に対する第１水検知部７の位置を、延長ケーブル５を配置可能な所定範囲Ｂ（図１に示すポンプ本体部４を中心とする周状の範囲）において移動させることが可能である。
【００５７】
第１水検知部設置部材６は、水よりも比重が大きい導電性材料から形成されている。具体的には、第１水検知部設置部材６は、鋳物などの金属により形成されている。したがって、第１水検知部設置部材６は、水により移動しにくいため、第１水検知部７を所定位置に保持する保持部材として機能するように構成されている。また、第１水検知部設置部材６と第１水検知部７とは、互いに絶縁されている。また、第１水検知部設置部材６は、第１水検知部７の後述する第１電極部７１と対をなす第２電極部として機能するように構成されている。また、第１水検知部設置部材６は、上記の通り、延長ケーブル５の導体線５１ｂを介してポンプ本体部４の第２水検知部４２の電極棒４４ｂに電気的に接続されている。
【００５８】
第１水検知部設置部材６は、吸水用の貫通孔６１と、吸水ホース取付部６２とを含んでいる。貫通孔６１は、第１水検知部設置部材６を上下方向に貫通している。また、吸水ホース取付部６２は、貫通孔６１の上端部に設けられ、吸水ホース３を取付可能に構成されている。そして、第１水検知部設置部材６は、図８に示すように、吸水ホース３が吸水ホース取付部６２に取り付けられた状態で、ポンプ本体部４が駆動することにより、吸水口として機能するように構成されている。すなわち、ポンプ本体部４は、ウォーターフェンス本体部１から取り外して、いわゆる残水ポンプとして用いることが可能である。なお、ポンプ本体部４を残水ポンプとして用いる場合には、吸水ホース３と延長ケーブル５とは、結束バンドなどにより互い固定されることが好ましい。また、ポンプ本体部４は、延長ケーブル５を取り外して、残水ポンプとして用いることも可能である。この場合、ポンプ本体部４は、制御基板８による制御の下、第２水検知部４２により水が検知されることに基づいて、駆動される。
【００５９】
第１水検知部設置部材６の底面には、図７に示すように、第１水検知部７の第１電極部７１の下端の高さ位置Ｈ１を、ポンプ本体部４の非駆動時における設置力増強部材２の上端の高さ位置Ｈ２に合うように調整する高さ調整部材６３が設けられている。高さ調整部材６３は、ゴムや樹脂、あるいは第１水検知部設置部材６と同様に鋳物などの金属により形成されている。また、第１水検知部設置部材６を高さ調整部材６３に対して設置するだけの構成としてもよいが、第１水検知部設置部材６と高さ調整部材６３とを互いに嵌合させたり、ボルト止め等をすることで固定してもよい。また、高さ調整部材６３は、平面視において（上方から見て）、第１水検知部設置部材６と重なる円柱形状を有している。また、高さ調整部材６３は、上面と底面とが平行である。また、高さ調整部材６３は、貫通孔６１に連通する上下方向に延びる貫通孔６３ａを有している。また、高さ調整部材６３の底面には、ポンプ本体部４をいわゆる残水ポンプとして使用する際に、第１水検知部設置部材６の外側から貫通孔６３ａに水を導くための溝部(図示せず)が設けられている。なお、高さ調整部材６３を取り外した状態でも、ポンプ本体部４は、残水ポンプとして使用することが可能である。また、第１水検知部設置部材６の底面にも、第１水検知部設置部材６の外側から貫通孔６１に水を導くための溝部(図示せず)が設けられている。
【００６０】
第１水検知部７の第１電極部７１の下端の高さ位置Ｈ１と、設置力増強部材２の上端の高さ位置Ｈ２とを合せる場合には、第１水検知部７が固定される第１水検知部設置部材６は、所定範囲Ｂ（図１参照）内において、ウォーターフェンス本体部１の近傍（手前）に配置されるのが好ましい。
【００６１】
第１水検知部７は、ポンプ本体部４に電気的に接続されている。詳細には、第１水検知部７は、第１電極部７１を含んでいる。第１電極部７１は、延長ケーブル５の導体線５１ａを介してポンプ本体部４の第２水検知部４２の一方の電極棒４４ａに電気的に接続されている。
【００６２】
制御基板８は、ポンプ本体部４の箱体４３に内蔵されている。また、制御基板８は、第１水検知部７または第２水検知部４２の検知結果に基づいて、ポンプ本体部４を駆動するように構成されている。詳細には、制御基板８は、第１水検知部７の第１電極部７１と、第１電極部７１と対をなす第２電極部として機能する第１水検知部設置部材６とが水により通電することに基づいて、ポンプ本体部４を駆動するように構成されている。具体的には、制御基板８は、水位が第１電極部７１の下端（水位が高さ位置Ｈ１）にまで達することにより、ポンプ本体部４を駆動するように構成されている。また、制御基板８は、第１電極部７１と第１水検知部設置部材６との水による通電が解除されることに基づいて、ポンプ本体部４の駆動を停止するように構成されている。なお、ポンプ本体部４の駆動を停止するタイミングは、第１電極部７１と第１水検知部設置部材６との水による通電が解除された時点でもよいし、通電が解除されてから所定時間経過後（たとえば１分後）であってもよい。また、制御基板８は、第２水検知部４２の一対の電極棒４４ａおよび４４ｂが通電することによっても、ポンプ本体部４を駆動するように構成されている。
【００６３】
図９を参照して、設置力増強部材２の特性の一例について説明する。
【００６４】
設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００６５】
図１０を参照して、設置力増強部材２の特性（水透過）の一例について説明する。
【００６６】
水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００６７】
設置力増強部材２に用いる気孔率５０％〜６０％程度の半連続気泡構造のスポンジ材は、圧縮率に応じた透過率となる。また、設置力増強部材２は、５０％以上８０％以下の圧縮率になるように圧縮抑制することにより、半連続気泡構造のスポンジを透過する水量をポンプ本体部４の呼び水として適度な透過水量に抑えることが可能である。また、設置力増強部材２（スポンジ）を透過した水をポンプ本体部４で排水するのでウォーターフェンス本体部１を越えて浸水させないようにすることが可能である。つまり、ポンプ本体部４を駆動させた場合に、設置力増強部材２の圧縮率が５０％以上８０％以下になることが好ましい。
【００６８】
図１１を参照して、チューブ材２３の特性の一例について説明する。
【００６９】
チューブ材２３は、たとえば、見掛け密度が７８０ｋｇ／ｍ3であり、引張強さが３４０ｋＰａであり、伸びが７５０％である。つまり、チューブ材２３は、設置力増強部材２よりも柔らかい。また、チューブ材２３は、２００％に伸ばした際の引張応力が８０ｋＰａである。なお、引張強さ、伸び率、２００％引張応力は、長さ１０ｃｍのチューブ材２３に２．５ｍｍほどの切り込みを入れて試験を行った。また、チューブ材２３は、吸水率が１．０％以下である。つまり、チューブ材２３は、設置力増強部材２よりも低い吸水率を有する。
【００７０】
（第１実施形態の効果）
第１実施形態では、以下のような効果を得ることができる。
【００７１】
第１実施形態では、上記のように、第１水検知部７の検知結果に基づいて、ポンプ本体部４の駆動を制御する制御基板８を設ける。これにより、ウォーターフェンス本体部１に水が押し寄せてきた場合に、ウォーターフェンス本体部１により押し寄せる水を止めるとともに、第１水検知部７の検知結果に基づいて制御基板８により自動的にポンプ本体部４を駆動させることができるので、浸水しようとする水を排出することができる。その結果、浸水を効果的に抑制することができる。また、第１水検知部７が固定され、固定された第１水検知部７を、ウォーターフェンス本体部１およびポンプ本体部４から離間した位置に設置可能な第１水検知部設置部材６を設ける。これにより、第１水検知部設置部材６を用いて、第１水検知部７を任意の位置に配置することができるので、第１水検知部７の配置の自由度を向上させることができる。また、水がない場合にポンプ本体部４を自動的に停止させることができるので、ポンプ本体部４の空運転を防止することができる。
【００７２】
また、第１実施形態では、上記のように、第１水検知部７に、第１電極部７１を設け、第１水検知部設置部材６を、水よりも比重が大きい導電性材料（鋳物など）により形成し、第１水検知部７の第１電極部７１と対をなす第２電極部として機能するように構成し、制御基板８を、第１電極部７１と、第２電極部として機能する第１水検知部設置部材６とが水により通電することに基づいて、ポンプ本体部４を駆動するように構成する。これにより、第１水検知部設置部材６が水よりも比重が大きい導電性材料により形成されるので、水が押し寄せてきても、流されにくく、所望の設置位置に第１水検知部７を配置し続けることができる。また、第１水検知部設置部材６が第１電極部７１と対をなす第２電極部として機能するので、第１水検知部７が２つの電極部を有するように構成する場合と比較して、第１水検知部７の構成を簡素化することができる。
【００７３】
また、第１実施形態では、上記のように、ウォーターフェンス本体部１の底面１ａに配置され、ウォーターフェンス本体部１の設置面への設置性を向上させる設置力増強部材２を設け、第１水検知部設置部材６の底面には、第１電極部７１の下端の高さ位置を、ポンプ本体部４の非駆動時における設置力増強部材２の上端近傍の高さ位置に合うように調整する高さ調整部材６３を脱着可能に設ける。これにより、ポンプ本体部４が空運転することがない所定の水位により、ポンプ本体部４を駆動させることができる。また、設置力増強部材２により、凹凸のある設置面に対しての設置性や水密性を向上させることができるので、安定してウォーターフェンス本体部１を設置することができる。その結果、ウォーターフェンス本体部１の下方からの浸水を効果的に抑制することができる。また、ポンプ本体部４によりウォーターフェンス本体部１の底面１ａの水を空気とともに吸い取ることによって、ウォーターフェンス本体部１の底面１ａと設置面との間に負圧を発生させることができる。これにより、設置力増強部材２を地面へ吸着させて、ウォーターフェンス本体部１を地面に対して安定して設置することができる。
【００７４】
また、第１実施形態では、上記のように、第１水検知部設置部材６に、吸水用の貫通孔６１と、吸水ホース３の上記一端３ａを貫通孔６１に対して連通状態で装着可能な吸水ホース取付部６２とを設ける。これにより、吸水ホース３の一端３ａを、ウォーターフェンス本体部１から取り外して、吸水ホース取付部６２に取り付けることにより、ポンプ本体部４をいわゆる残水ポンプとして用いることができる。
【００７５】
また、第１実施形態では、上記のように、制御基板８を、ポンプ本体部４の箱体４３（第２水検知部４２）に内蔵する。これにより、制御基板８をポンプ本体部４と別体で設ける場合に比べて、ウォーターフェンスシステム１００の構成を簡素化することができる。
【００７６】
また、第１実施形態では、上記のように、ポンプ本体部４と第１水検知部７とを互いに電気的に接続する延長ケーブル５を設ける。これにより、延長ケーブル５により第１水検知部７および第１水検知部設置部材６を、ポンプ本体部４周りのより広い範囲に配置することができるので、第１水検知部７の配置の自由度をより向上させることができる。
【００７７】
［第２実施形態］
次に、図１２〜図１４を参照して、本発明の第２実施形態について説明する。この第２実施形態では、第１水検知部設置部材６の底面に第１電極部７１の下端の高さを調整する円柱状の高さ調整部材６３を設けた上記第１実施形態とは異なり、第１水検知部設置部材６の底面に第１電極部７１の下端の高さを調整する高さ調整用ボルト６３１を設ける構成について説明する。なお、高さ調整用ボルト６３１は、特許請求の範囲の「高さ調整部材」の一例である。
【００７８】
図１２に示すように、第２実施形態によるウォーターフェンスシステム２００は、ウォーターフェンス本体部１と、設置力増強部材２と、吸水ホース３と、ポンプ本体部４と、延長ケーブル５と、第１水検知部設置部材６と、第１水検知部７と、制御基板８とを備えている。
【００７９】
第１水検知部設置部材６の底面には、図１３に示すように、第１水検知部７の第１電極部７１の下端の高さ位置Ｈ１を、ポンプ本体部４の非駆動時における設置力増強部材２の上端の高さ位置Ｈ２に合うように調整する３つの高さ調整用ボルト６３１が設けられている。
【００８０】
３つの高さ調整用ボルト６３１は、平面視において（上方から見て）、第１水検知部設置部材６の貫通孔６１を囲むように配置され、貫通孔６１を中心とする周方向に等間隔（１２０度間隔）で配置されている。また、第１水検知部設置部材６の底面には、３つの高さ調整用ボルト６３１を螺合するための雌ネジ部（図示せず）が設けられている。また、高さ調整用ボルト６３１は、第１水検知部設置部材６に対する螺合量を調整することにより、第１水検知部設置部材６の底面からの突出量を調整可能に構成されている。これにより、高さ調整用ボルト６３１は、第１電極部７１の下端の高さ位置Ｈ１を所定範囲内で調整可能に構成されている。
【００８１】
また、図１４に示すように、高さ調整用ボルト６３１は、第１電極部７１の下端の高さ位置Ｈ１の調整に加えて、第１水検知部設置部材６のウォーターフェンス本体部１が設置される設置面に対する角度を調整可能に構成されている。具体的には、３つの高さ調整用ボルト６３１の第１水検知部設置部材６の底面からの突出量を互いに所定量だけ異ならせることにより、ウォーターフェンス本体部１が設置される設置面に対する角度を調整可能に構成されている。
【００８２】
なお、第２実施形態のその他の構成は、上記第１実施形態と同様である。
【００８３】
（第２実施形態の効果）
第２実施形態では、以下のような効果を得ることができる。
【００８４】
第２実施形態では、上記第１実施形態と同様に、第１水検知部７の検知結果に基づいて、ポンプ本体部４の駆動を制御する制御基板８を設ける。これにより、制御基板８により自動的にポンプ本体部４を駆動させて、浸水を効果的に抑制することができる。
【００８５】
また、第２実施形態では、上記のように、高さ調整用ボルト６３１を、第１電極部７１の下端の高さ位置の調整に加えて、第１水検知部設置部材６の設置面に対する角度を調整可能に構成する。これにより、第１水検知部設置部材６の設置面に対する角度を調整することができるので、第１水検知部設置部材６が傾斜面に配置される場合でも、第１電極部７１が傾斜して配置されるのを抑制することができる。その結果、ポンプ本体部４を駆動させる所望の水位とは異なる水位によって、ポンプ本体部４が駆動されるのを抑制することができる。
【００８６】
なお、第２実施形態のその他の効果は、上記第１実施形態と同様である。
【００８７】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８８】
たとえば、上記第１実施形態では、上面と底面とが平行な高さ調整部材を、第１水検知部設置部材の底面に設けた例を示したが、本発明はこれに限らない。本発明では、図１５に示す第１実施形態の第１変形例のように、上面６３２ａに対して底面６３２ｂが傾斜している高さ調整部材６３２を、第１水検知部設置部材６の底面に設けてもよい。これにより、高さ調整部材６３２（第１水検知部設置部材６）を傾斜面に設置した場合において、第１水検知部７の第１電極部７１が傾くのを抑制することができる。
【００８９】
また、上記第１実施形態では、高さ調整部材を、平面視において（上方から見て）、第１水検知部設置部材と重なる円柱形状に構成した例を示したが、本発明はこれに限らない。本発明では、高さ調整部材は、第１水検知部設置部材を設置することができればよいので、高さ調整部材を第１水検知部設置部材よりも小さい径、あるいは大きい径で構成してもよいし、直方体など円柱以外の形状で構成してもよい。
【００９０】
また、上記第１実施形態では、高さ調整部材は、上下方向に延びる貫通孔と、高さ調整部材の底面にポンプ本体部を残水ポンプとして使用する際に、第１水検知部設置部材の外側から水を導くための溝部(図示せず)とを設けた例を示したが、本発明はこれに限らない。本発明では、高さ調整部材に上下方向に延びる貫通孔と、底面の溝部とを設けずに構成してもよい。なお、高さ調整部材に上下方向に延びる貫通孔と、底面の溝部とを設けずに構成する場合、ポンプ本体部を残水ポンプとして使用する際は、高さ調整部材を取り外すこととなる。
【００９１】
また、上記第１および第２実施形態では、第１水検知部設置部材を円柱形状に形成した例を示したが、本発明はこれに限らない。本発明では、図１６に示す第１実施形態の第２変形例のように、第１水検知部設置部材６ａを水平方向に延びる皿形状に形成してもよい。これにより、第１水検知部設置部材を円柱形状に形成する場合と比べて、第１水検知部設置部材６ａを形成する導電性材料（鋳物など）の使用量を少なくすることができる。また、第１水検知部設置部材６ａが水平方向に延びるので、第１水検知部設置部材６ａを安定して設置することができる。また、皿形状の第１水検知部設置部材６ａは滑らかな傾斜面を有するので、水の抵抗を受けにくい。なお、第１水検知部設置部材６ａは、特許請求の範囲の「水検知部設置部材」の一例である。
【００９２】
また、上記第１および第２実施形態では、制御部（制御基板）が吸水装置本体部に内蔵される例を示したが、本発明はこれに限らない。本発明では、制御部（制御基板）が吸水装置本体部の外部に設けられていてもよい。
【００９３】
また、上記第１および第２実施形態では、本発明の吸水装置本体部として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【００９４】
また、上記第１および第２実施形態では、設置力増強部材を１層により形成する例を示したが、本発明はこれに限らない。本発明では、設置力増強部材を２層以上により形成してもよい。
【００９５】
また、上記第１および第２実施形態では、ウォーターフェンスに入れる重りとして水を注水したり、ペットボトルを用いた例を示したが、本発明はこれに限らない。本発明では、水やペットボトル以外の部材を重りとして用いてもよい。たとえば、バーベルや、石、砂、土などを重りとして用いてもよい。
【符号の説明】
【００９６】
１  ウォーターフェンス本体部
１ａ  底面
２、２１、２２  設置力増強部材
３  吸水ホース
３ａ  一端
３ｂ  他端
４  ポンプ本体部（吸水装置本体部）
５  延長ケーブル
６、６ａ  第１水検知部設置部材（水検知部設置部材）
７  第１水検知部（水検知部）
８  制御基板（制御部）
６１  貫通孔
６２  吸水ホース取付部
６３  高さ調整部材
７１  第１電極部
１００、２００  ウォーターフェンスシステム
６３１  高さ調整用ボルト（高さ調整部材）
【図１】
2018009323.tif 000003
【図２】
2018009323.tif 000004
【図３】
2018009323.tif 000005
【図４】
2018009323.tif 000006
【図５】
2018009323.tif 000007
【図６】
2018009323.tif 000008
【図７】
2018009323.tif 000009
【図８】
2018009323.tif 000010
【図９】
2018009323.tif 000011
【図１０】
2018009323.tif 000012
【図１１】
2018009323.tif 000013
【図１２】
2018009323.tif 000014
【図１３】
2018009323.tif 000015
【図１４】
2018009323.tif 000016
【図１５】
2018009323.tif 000017
【図１６】
2018009323.tif 000018